(57)【要約】【課題】既存のドアガードに適用可能であり、防犯性を維持しつつドアを開放状態のまま保持することが可能なドアストッパを提供する。【解決手段】Ｕ字状のドアガードアーム２の内側に形成されるガイド孔６に挿通されたドアガードピン３の頭部が挿入される挿入孔１２をメイン部材１４に形成する。さらに、ドアガードアーム２の幅方向および厚み方向においてドアガードアーム２に係合する係合フック１３をメイン部材１４に延設する。さらに、ドアガードアーム２の先端部の外側にフィットするカバー部材１１をメイン部材１４に延設する。【選択図】図２
2005133437.tif 000002
【特許請求の範囲】
【請求項１】
ドアの開閉に伴ってドアガードアームの内側を開方向または閉方向に移動するドアガードピンの閉方向側に当接するメイン部材と、
前記メイン部材に接続されるとともに、前記ドアガードアームに前記メイン部材を取り外し自在に固定する固定部材と、
を備えたことを特徴とするドアストッパ。
【請求項２】
ドアの開閉に伴ってドアガードアームの内側を前記ドアガードアームの長さ方向に沿って開方向または閉方向に移動するドアガードピンの閉方向側に当接するメイン部材と、
前記メイン部材に接続されるとともに、前記ドアガードアームの長さ方向の先端部を外側から覆うカバー部材と、
前記メイン部材に接続されるとともに、前記ドアガードアームの幅方向および厚み方向において前記ドアガードアームに係合する係合部材と、
を備えたことを特徴とするドアストッパ。
【請求項３】
前記メイン部材は、前記ドアガードピンの先端部が挿入される係合孔を有することを特徴とする請求項１または２に記載のドアストッパ。
【請求項４】
磁石からなる吸着部をさらに備えたことを特徴とする請求項１〜３のいずれかに記載のドアストッパ。
【請求項５】
前記メイン部材および前記係止部が、ポリプロピレンによって構成されることを特徴とする請求項１〜４のいずれかに記載のドアストッパ。
【発明の詳細な説明】
【技術分野】
【０００１】
この発明は、ドアの開放状態を保持するドアストッパに関し、特に、ドアガードを介してドアの開放状態を保持するドアストッパに関する。
【背景技術】
【０００２】
室内の換気を行う手段の一つとして、玄関等のドアを開放することが挙げられる。玄関等のドアを開放したまま保持するためにドアストッパが用いられる。一般的なドアストッパは、ドアの下部と地面との間に介在してドアが閉じないようにする機能を有している。この機能を有するドアストッパを用いれば、換気の最中に風により意図せずドアが閉まることがない。また、自動的にドアが閉まるように、閉じる方向の力が常時加えられているドアにおいても、換気を適正に行うことが可能であった。
【０００３】
ところが、上述のドアストッパは、ドアが自動的に閉まることを防止するだけの機能しか有しておらず、防犯性について問題がある。すなわち、上述のドアストッパによってドアを開放している状態においては、外部の人間が自由に家屋内に侵入し得るという不都合がある。
【０００４】
そこで、従来技術の中には、防犯性を維持しつつ換気することを可能にするドアガードがあった。その中には、ドアの開き角度を所望の角度に保持するために、ドアガードアームにドアガードピンを係止する係止部が形成されたドアガードがあった（例えば、特許文献１参照。）。また、ドアを換気開放位置にロック保持する機能を備えたドアガードもあった（例えば、特許文献２参照。）。
【特許文献１】特開平１１−２３６７７９号公報
【特許文献２】特開平１１−３５０８１９号公報
【発明の開示】
【発明が解決しようとする課題】
【０００５】
しかしながら、特許文献１および特許文献２に記載のドアガードを用いるためには、ドアガード自体を、これらの文献に記載するドアガードに交換する必要がある。つまり、特許文献１および特許文献２を含む従来技術はドアガードに特徴を有するものであるため、これらの従来技術を既存のドアガードに適用することができないという問題がある。
【０００６】
この発明の目的は、既存のドアガードに適用可能であり、防犯性を維持しつつドアを開放状態のまま保持することが可能なドアストッパを提供することである。
【課題を解決するための手段】
【０００７】
この発明は以下の構成を備えている。
【０００８】
（１）ドアの開閉に伴ってドアガードアームの内側を開方向または閉方向に移動するドアガードピンの閉方向側に当接するメイン部材と、
前記メイン部材に接続されるとともに、前記ドアガードアームに前記メイン部材を取り外し自在に固定する固定部材と、
を備えたことを特徴とする。
【０００９】
この構成においては、本発明のドアストッパが、ドアガードピンの閉方向への移動を規制するメイン部材と、メイン部材をドアガードアームに固定する固定部材と、を備えている。ここで、閉方向とは、ドアの内側面またはドア枠に片持ち状に支持されるドアガードアームの支持端側にドアガードピンが近づく方向である。反対に、開方向とは、ドアガードアームの自由端側にドアガードピンが近づく方向である。
【００１０】
メイン部材は、ガイド孔に沿ってドアガードピンがスライドするのを防止するために、少なくともドアガードピンにおける閉方向側に当接する。
【００１１】
固定部材は、メイン部材をドアガードアームに固定するための部材である。ここで、固定とは、ドアガードピンからの力が作用することによって、メイン部材の位置がズレることがない程度の強さで係合している状態をいう。また、メイン部材をドアガードアームに固定した後においても、任意にメイン部材をドアガードアームから取り外し得ることが重要である。このため、固定部材は、メイン部材とドアガードアームとを必要以上の強さで結合させるものであってはならない。
【００１２】
また、固定部材は、メイン部材に接続されている。本発明において、接続とは、固定部材とメイン部材とが渾然一体になっている状態、固定部材とメイン部材とが別部材であり互いに固着されている状態、および固定部材が他の部材を介在させてメイン部材に接する状態のすべてを含むものと解釈される。
【００１３】
（２）ドアの開閉に伴ってドアガードアームの内側を前記ドアガードアームの長さ方向に沿って開方向または閉方向に移動するドアガードピンの閉方向側に当接するメイン部材と、
前記メイン部材に接続されるとともに、前記ドアガードアームの長さ方向の先端部を外側から覆うカバー部材と、
前記メイン部材に接続されるとともに、前記ドアガードアームの幅方向および厚み方向において前記ドアガードアームに係合する係合部材と、
を備えたことを特徴とする。
【００１４】
この構成においては、ドアストッパが、ドアガードピンの閉方向への移動を規制するメイン部材、メイン部材に接続されるカバー部材、およびメイン部材に接続される係合部材を備えている。
【００１５】
メイン部材は、ガイド孔に沿ってドアガードピンがスライドするのを防止するために、少なくともドアガードピンにおける閉方向側に当接する。
【００１６】
カバー部材は、ドアの内側面またはドア枠に片持ち状に支持されたドアガードアームの自由端側の先端部を外側から覆う。すなわち、カバー部材は、ドアガードアームの長さ方向においてドアガードアームと係合する。
【００１７】
係合部材は、ドアガードアームの幅方向および厚み方向において前記ドアガードアームに係合する。係合部材の代表例として、ドアガードアームの幅方向の両端を把持する一対の弾性部材からなるフックが挙げられる。
【００１８】
係合部材とドアガードアームとが係合することにより、メイン部材がドアガードアームから容易に脱着することが防止される。さらに、カバー部材がドアガードアームの先端部と係合することにより、ドアガードピンからメイン部材に対して力が作用してもドアガードアームの支持端側にメイン部材がスライドすることがない。このため、ドアストッパがドアガードアームに取り付けられた状態でドアが閉まることがない。
【００１９】
（３）前記メイン部材は、前記ドアガードピンの先端部が挿入される係合孔を有することを特徴とする。
【００２０】
この構成においては、ドアガードピンの閉方向への移動を規制するために、ドアガードピンの先端部が挿入される係合孔がメイン部材に形成されている。ドアガードピンの先端部が係合孔に挿入されると、メイン部材はドアガードピンの閉方向側に確実に当接する。
【００２１】
（４）磁石からなる吸着部をさらに備えたことを特徴とする。
【００２２】
この構成においては、ドアストッパにおけるドアの内側面に対向する位置に、磁石からなる吸着部が設けられている。
【００２３】
吸着部の代表例として、ゴム磁石を含むマグネットシートが挙げられる。ドアストッパは、吸着部を介してドアの内側面に吸着される。ここで、吸着部の吸着対象となるのは、磁性体のドアである。磁性体のドアの代表例として鉄製ドアが挙げられる。
【００２４】
（５）前記メイン部材および前記係止部が、ポリプロピレンによって構成されることを特徴とする。
【００２５】
この構成においては、本発明のドアストッパが、ポリプロピレンによって構成される。ここで、ポリプロピレンは、成形が容易であり、弾性の特性を有し、安価に入手可能な素材である。
【発明の効果】
【００２６】
この発明によれば、以下の効果を奏することができる。
【００２７】
（１）ドアガードアーム内をドアガードピンが移動することを防止して、ドアを開放状態のまま保持することができる。このため、防犯性を維持しつつ、室内の換気を行うことが可能である。さらに、既存のドアガードを利用することが可能であり、ドアガードを交換することを不要にできる。
【００２８】
（２）ドアガードアーム内部においてドアガードピンが閉方向に移動することを防止でき、ドアを開放状態のまま保持することが可能になる。このため、防犯性を維持しつつ室内の換気をすることができる。
【００２９】
さらに、係合部材によってメイン部材を長さ方向において係止することが不要になる。このため、ドアガードアームに係合部材を厳密にフィットさせる必要がなく、ドアストッパを適用し得るドアガードアームのサイズの許容範囲を拡げることができる。
【００３０】
（３）防犯性を維持しつつ、室内の換気を確実に行うことができる。特に、ドアガードアームからのドアガードピンの突出量の大小にかかわらず、ドアガードピンとメイン部材とを長さ方向において確実に係合させることができる。
【００３１】
（４）不使用時にドアストッパを容易に保管することができる。このため、ドアストッパの紛失を防止することが可能になる。
【００３２】
（５）射出成形によってドアストッパを大量生産することができる。また、ドアストッパが適度な弾性を有することにより、ドアガードアームに対する取付および取外しが容易になる。さらに、ドアストッパを生産コストを減じることが可能になる。
【発明を実施するための最良の形態】
【００３３】
以下、図を用いて本発明のドアストッパの実施形態であるドアガードキャップを説明する。
【００３４】
図１は、ドアガードキャップ１が適用されるドアガードの構成の一例を示す図である。図１（ａ）は、不使用状態のドアガードの構成を示している。図１（ｂ）は、使用状態のドアガードの構成を示している。なお、図１（ｂ）において、本発明の「開方向」を矢印Ａで示しており、本発明の「閉方向」を矢印Ｂで示している。
【００３５】
家屋の出入口にドアを取り付ける場合、家屋の出入口の所定位置にドア枠８が取り付けられ、このドア枠８にドア７が開閉自在に取り付けられる。なお、本実施形態では、家屋の代表例としてマンションを挙げて説明する。ただし、本発明が適用される家屋がマンションに限定されることはなく、本発明は一戸建て家屋、集合住宅、アパートを含むあらゆる家屋に適用することが可能である。
【００３６】
マンションの中には玄関のドア７の近傍に図１（ａ）に示すようなドアガードが設置されているものが多い。ドアガードは、防犯性を高めるための物品であり、ドア７の開放角度を所定範囲に規制して、外部の者が家屋内に侵入することを防止する効果がある。ドアガードは、一般的に、取付部材４、取付部材５、ドアガードアーム２、およびドアガードピン３を備えている。
【００３７】
取付部材４は、ドアガードアーム２の取付に用いられる部材であり、ネジを介してドア７の内側面に取り付られる。取付部材５は、ドアガードピン３の取付に用いられる部材であり、ネジを介してドア枠８に取り付られる。
【００３８】
ドアガードアーム２は、略Ｕ字状に形成されており、取付部材４に回動自在に支持される。この結果、ドアガードアーム２は、取付部材４を介してドア７の内側面に片持ち状に取り付られる。また、ドアガードアーム２の内側には、ドアガードピン３が摺動するガイド孔６が形成される。
【００３９】
ドアガードピン３は、円柱状の軸部および軸部よりも膨張した頭部からなっている。軸部は、ドアガードアーム２の内側に形成されるガイド孔６の幅よりやや小さい径を有している。これに対して、頭部は、ガイド孔６の幅より大きい径を有している。ドアガードピン３のうち、軸部がガイド６に挿入される。この結果、ドアガードピン３は、ドアガードアーム２の内側に摺動しつつドアガードアーム２の長さ方向を往復移動することが可能になる。なお、本実施形態では、ドアガードピン３は、取付部材５に一体的に結合している。
【００４０】
ドアガードを使用状態にしてドア７を開くと、ドアガードピン３がドアガードアーム２の内側を摺動する。そして、ドアガードピン３がドアガードアーム２の先端に到達すると、ドア７をそれ以上開くことができなくなる。本実施形態では、ドア７は閉じる方向に付勢されているため、ドア７に対して開く方向の力を加えないと自動的にドア７が閉じる。
【００４１】
上述の説明は、マンションにおいて一般的に設けられるドアガードの構成に関するものであり、本発明のドアストッパが適用されるドアガードを限定するものではない。
【００４２】
本発明のドアストッパは、ガイド孔６に沿ってドアガードピン３が移動することを防止することで、ドアを開放状態のまま保持するものである。特に、既存のドアガードにドアガードキャップを後付けすることで、ドアを開放状態のまま保持することを可能にする点に特徴を有している。
【００４３】
図２は、ドアガードキャップ１の使用状態を示す図である。この図を用いて、本発明の概要を説明する。室内の換気をするときに、ドアガードを使用状態にしつつドア７を開き、そのままドアガードにドアガードキャップ１を取り付ける。この結果、ドアガードピン３がガイド孔６に沿って移動しなくなり、ドア７が開放状態のまま維持される。本発明は、このような原理を利用するものであり、以下、このドアガードキャップ１の構成を詳細に説明する。なお、同図において、矢印Ｘ、矢印Ｙ、矢印Ｚを用いて、ドアガードアーム２の長さ方向、厚み方向、幅方向を示している。
【００４４】
図３および図４は、ドアガードキャップ１の構成を示す図である。図３は、ドアガードキャップ１の斜視図である。図４（ａ）は、ドアガードキャップ１の平面図である。図４（ｂ）は、ドアガードキャップ１の底面図である。図４（ｃ）は、左側面図である。なお、右側面図は、この左側面図に対称に表れるため図示を省略している。図４（ｄ）は、ドアガードキャップ１の背面図である。図４（ｅ）は、ドアガードキャップ１の正面図である。
【００４５】
ドアガードキャップ１は、ポリプロピレンで構成されている。本実施形態で、ポリプロピレンを素材に選んだのは、ポリプロピレンは熱可塑性で弾性を有し、安価に入手できるからである。ドアガードキャップ１は、射出成形によって製造される。そして、ドアガードキャップ１は、メイン部材１４、係合フック１３、カバー部材１１を備えている。本実施形態では、メイン部材１４、係合フック１３、およびカバー部材１１は、渾然一体となっているが、各部を後から結合させる構成であっても、本発明の効果を奏することができる。
【００４６】
メイン部材１４は、図４（ａ）に示すように、長方形と半円とを合わせた形状の薄板を基本構成とする。メイン部材１４の背面側の端部は直線状に形成されており、正面側の端部は円弧状に形成されている。
【００４７】
メイン部材１４の形状は、ドアガードアーム２の先端部の形状に適合させたものであるため、その形状が本実施形態に限定されることはない。すなわち、ドアガードキャップ１が適用されるドアガードアーム２の形状に応じて、メイン部材１４の形状を適宜変更することが可能である。
【００４８】
メイン部材１４における正面側には、円形の挿入孔１２が形成されている。この挿入孔１２は、少なくともドアガードピン３の頭部の最大径よりも大きい径を有している。また、メイン部材１４における背面側には、ゴム磁石シート１５が貼付されている。本実施形態では、ゴム磁石シート１５が、本発明の吸着部を構成する。
【００４９】
係合フック１３（１３Ａ，１３Ｂ）は、メイン部材１４における背面側の両端部に形成されている。係合フック１３Ａおよび係合フック１３Ｂは、メイン部材１４を中心に左右対称の形状を呈している。係合フック１３Ａおよび係合フック１３Ｂは、山形の断面を有するリブが形成されている。このリブは、メイン部材１４の面と平行な方向に沿って形成されている。そして、リブの頂点において、係合フック１３Ａおよび係合フック１３Ｂの間隔が最小になる。このリブの両側には、互いに対向する傾斜面が形成されている。この傾斜面を形成しているのは、ドアガードキャップ１の取付および取外しの便宜のためである。
【００５０】
係合フック１３Ａおよび係合フック１３Ｂの間隔は、最も短い位置で２０ｍｍ程度であり、最も長い位置で２６ｍｍになる。そして、上述の傾斜面における係合フック１３Ａおよび係合フック１３Ｂの間隔は、２０ｍｍ〜２６ｍｍの範囲の中間値をとる。係合フック１３Ａおよび係合フック１３Ｂに形成されたリブの頂点間の間隔は、ドアガードアーム２の幅と等しいかこの幅よりわずかに小さくなるようにされる。一方、係合フック１３間の最大間隔は、ドアガードアームの幅と等しいかこの幅よりわずかに大きくなるようにされる。なお、本実施形態では、係合フック１３（１３Ａ，１３Ｂ）によって本発明の係合部材が構成される。
【００５１】
カバー部材１１は、メイン部材１４の正面側の端部に沿って、メイン部材１４に直交するように形成されている。このため、カバー部材１１は、断面が半円弧の薄板状を呈している。カバー部材１１をこのような形状にしたのは、ドアガードアーム２の先端部の外側にカバー部材１１をフィットさせるためである。このため、カバー部材１１の形状は、本実施形態のものに限定されることはなく、ドアガードアーム２の先端部の形状に応じて自由な形状にすることが可能である。なお、本実施形態では、係合フック１３（１３Ａ，１３Ｂ）およびカバー部材１１によって、本発明の固定部材が構成される。
【００５２】
続いて、ドアガードキャップ１の取付方法を説明する。まず、ドアガードを使用状態にしてドア７を開く。このとき、ドアガードピン３がガイド孔６に沿って開方向に移動する。ドアガードピン３がガイド孔６の開方向側の端部に到達したところで、ドアガードキャップ１を取り付ける。ドアガードキャップ１を取り付ける際には、ドアガードピン３の頭部の位置と挿入孔１２の位置とを合わせ、挿入孔１２内にドアガードピン３の頭部が収まるようにしながら、ドアガードキャップ１をドアガードアーム２に押し付けると良い。
【００５３】
このとき、ドアガードアーム２は、係合フック１３（１３Ａ，１３Ｂ）に形成された傾斜面に当接しつつ、係合フック１３（１３Ａ，１３Ｂ）を外側に押し広げながら、係合フック１３（１３Ａ，１３Ｂ）に形成されたリブの間を通過する。そして、ドアガードアーム２がリブの間を通過して、ドアガードアーム２から係合フック１３（１３Ａ，１３Ｂ）に対して力が作用しなくなると、係合フック１３（１３Ａ，１３Ｂ）は元通りの位置に復帰する。この状態において、少なくともドアガードアーム２の厚み方向および幅方向において、係合フック１３（１３Ａ，１３Ｂ）とドアガードアーム２とが係合する。このため、ドアガードアーム２からドアガードキャップ１が不意に脱着することがない。
【００５４】
さらに、カバー部材１１がドアガードアーム２の先端部の外側に当接しているため、ドアガードアーム２に対してドアガードキャップ１が閉方向にズレることがない。そして、メイン部材１４は、挿入孔１２内にドアガードピン３の保持しており、ドアガードピン３がガイド孔６に沿って閉方向に移動することを防止している。
【００５５】
このように、本実施形態のドアガードキャップ１を用いれば、ドア７を開放状態に保持することができる。また、換気時においてもドアガードが機能しているため、外部の者が家屋内に侵入することを防止できる。さらに、通常のマンションに据えつけられた既存のドアガードでも、ドアガードキャップ１を適用可能であるため、既存のドアガードに後からストッパ機能を付加することが可能になる。
【００５６】
なお、ドアガードアーム２の幅は、一般的に、２０ｍｍ〜２５ｍｍであるため、本実施形態におけるドアガードキャップ１は、ほとんどのドアガードに適用することができる。
【００５７】
図５は、ドアガードキャップ１の保管方法の一例を示している。ドアガードキャップ１は、ゴム磁石シート１５を備えているため、ゴム磁石シート１５を介して鉄製のドア７に吸着させることが可能である。なお、ドア７が鉄製でない場合にも、磁性を帯びたドアであれば、ゴム磁石シート１５を介してドアガードキャップ１を吸着させることができる。このようにすれば、ドアガードキャップ１の紛失を防止することができる。また、室内を換気したいときに、すぐにドアガードキャップ１を使用できるため、利便性が向上する。
【００５８】
なお、本実施形態では、係合部材として係合フック１３を用いているが、係合フック１３に代えて、一対のマジックテープや一対の結び紐によって係合部材を構成することも可能である。
【００５９】
また、家屋の中には、玄関口の開口部の全域を覆う玄関用網戸を備えているものがある。この玄関用網戸と、本発明のドアストッパと、を併用することにより、換気時において、防犯性を維持しつつ、蚊や蜂等の虫が家屋の中に侵入することも防止することが可能になる。
【００６０】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６１】
【図１】本発明が適用されるドアガードの構成を示す図である。
【図２】本発明のドアストッパの使用状態を示す図である。
【図３】本発明のドアストッパの形状を示す図である。
【図４】本発明のドアストッパの形状を示す図である。
【図５】本発明のドアストッパの保管方法の例を示す図である。
【符号の説明】
【００６２】
１−ドアガードキャップ
２−ドアガードアーム
３−ドアガードピン
４−取り付け部材
５−取り付け部材
６−ガイド孔
１１−カバー部材
１２−挿入孔
１３−フック
１４−メイン部材
１５−ゴム磁石
【図１】
2005133437.tif 000003
【図２】
2005133437.tif 000004
【図３】
2005133437.tif 000005
【図４】
2005133437.tif 000006
【図５】
2005133437.tif 000007